(57)【要約】      （修正有）【課題】交通量調査の結果として必要な情報を煩わしい作業を強いることなく簡単に収集し管理することができるようにする。【解決手段】カウント関連情報サーバ１０Ａが、カウントしたことを示すカウント実行情報を受信し、カウント実行情報と各所定エリアの存在位置を示すエリア位置情報とに基づいて、カウント時にユーザ端末５０１〜５０Ｎが存在していた所定エリアと、カウント時における時刻を示す実行時刻情報と、ユーザ端末５０１〜５０Ｎが存在していた所定エリアにてカウントされたカウント数とを特定し、特定した所定エリア及びカウント数と、特定した実行時刻情報であるカウント時刻情報とを含むカウント関連情報をカウント関連情報ＤＢ２３に登録する。【選択図】図１
2015176376.tif 000002
【特許請求の範囲】
【請求項１】
所定エリアにおいてユーザ端末を用いたユーザの操作によりカウントされたカウント数を含むカウント関連情報を管理するカウント関連情報管理サーバであって、
各所定エリアの存在位置を示すエリア位置情報を記憶するエリア位置情報記憶手段と、
所定エリアと、所定エリアにてカウントされた時刻を示すカウント時刻情報と、所定エリアにてカウントされたカウント数とが対応付けされた前記カウント関連情報を記憶するカウント関連情報記憶手段と、
カウントしたことを示すカウント実行情報を受信するカウント実行情報受信手段と、
前記カウント実行情報と前記エリア位置情報とに基づいて、カウント時に前記ユーザ端末が存在していた所定エリアと、カウント時における時刻を示す実行時刻情報と、前記ユーザ端末が存在していた所定エリアにてカウントされたカウント数とを特定する特定手段と、
該特定手段により特定された所定エリア及びカウント数と、前記特定手段により特定された実行時刻情報であるカウント時刻情報とを含むカウント関連情報を前記カウント関連情報記憶手段に登録するカウント関連情報登録手段とを含む
ことを特徴とするカウント関連情報管理サーバ。
【請求項２】
前記カウント実行情報受信手段は、前記ユーザ端末から前記カウント実行情報を受信する
請求項１記載のカウント関連情報管理サーバ。
【請求項３】
前記カウント実行情報は、前記ユーザ端末の存在位置を示す端末位置情報を含み、
前記特定手段は、前記端末位置情報と前記エリア位置情報とに基づいて、カウント時に前記ユーザ端末が存在していた所定エリアを特定する
請求項１または請求項２記載のカウント関連情報管理サーバ。
【請求項４】
前記カウント実行情報は、前記ユーザ端末における所定のカウント終了操作がなされた時刻を示す操作終了時刻情報を含み、
前記特定手段は、前記操作終了時刻情報を前記実行時刻情報として特定する
請求項１から請求項３のうちいずれかに記載のカウント関連情報管理サーバ。
【請求項５】
前記ユーザ端末は、前記ユーザ端末における所定のカウント終了操作がなされたことに応じて、前記ユーザ端末におけるカウント操作がなされた回数を示すカウント操作数を含むカウント実行情報を生成し、
前記特定手段は、前記カウント操作数を前記カウント数として特定する
請求項１から請求項４のうちいずれかに記載のカウント関連情報管理サーバ。
【請求項６】
前記所定エリアは、バス等の移動体の乗員が乗降する乗降地点周辺エリアであり、
前記カウント数は、前記移動体を乗降した乗降者の数である
請求項１から請求項５のうちいずれかに記載のカウント関連情報管理サーバ。
【請求項７】
運行対象の移動体を一意に特定可能な移動体識別情報と、運行予定時刻とが対応付けされた運行予定時刻情報を記憶する運行予定時刻情報記憶手段を含み、
前記ユーザは、前記移動体の運転者であり、
前記カウント実行情報は、前記移動体識別情報を含み、
前記カウント関連情報登録手段は、前記カウント実行情報に含まれる移動体識別情報を含むカウント関連情報を前記カウント関連情報記憶手段に登録する
請求項６記載のカウント関連情報管理サーバ。
【請求項８】
運行対象の移動体を一意に特定可能な移動体識別情報と、運行予定時刻とが対応付けされた運行予定時刻情報を記憶する運行予定時刻情報記憶手段と、
前記移動体識別情報と、前記ユーザ端末を一意に特定可能なユーザ端末識別情報とが対応付けされた移動体特定情報を記憶する移動体特定情報記憶手段とを含み、
前記ユーザは、前記移動体の運転者であり、
前記カウント実行情報は、前記ユーザ端末識別情報を含み、
前記特定手段は、前記移動体特定情報を参照して、前記ユーザ端末識別情報に基づいて前記移動体識別情報をも特定し、
前記カウント関連情報登録手段は、前記特定手段により特定された移動体識別情報を含むカウント関連情報を前記カウント関連情報記憶手段に登録する
請求項６記載のカウント関連情報管理サーバ。
【請求項９】
前記カウント関連情報に基づいて、各運行対象の移動体それぞれについての乗降地点周辺エリアでのカウント数を含むカウント数一覧情報を生成するカウント数一覧情報生成手段と、
前記カウント数一覧情報を出力するカウント数一覧情報出力手段とを含む
請求項７または請求項８記載のカウント関連情報管理サーバ。
【請求項１０】
所定エリアにおいてユーザ端末を用いたユーザの操作によりカウントされたカウント数を含むカウント関連情報を管理する処理をカウント関連情報管理サーバに実行させるカウント関連情報管理プログラムであって、
各所定エリアの存在位置を示すエリア位置情報を記憶するエリア位置情報記憶手段と、所定エリアと、所定エリアにてカウントされた時刻を示すカウント時刻情報と、所定エリアにてカウントされたカウント数とが対応付けされた前記カウント関連情報を記憶するカウント関連情報記憶手段とを備えた前記カウント関連情報管理サーバに、
カウントしたことを示すカウント実行情報を受信するカウント実行情報受信処理と、
前記カウント実行情報と前記エリア位置情報とに基づいて、カウント時に前記ユーザ端末が存在していた所定エリアと、カウント時における時刻を示す実行時刻情報と、前記ユーザ端末が存在していた所定エリアにてカウントされたカウント数とを特定する特定処理と、
該特定処理により特定した所定エリア及びカウント数と、前記特定処理により特定した実行時刻情報であるカウント時刻情報とを含むカウント関連情報を前記カウント関連情報記憶手段に登録するカウント関連情報登録処理とを
実行させるためのカウント関連情報管理プログラム。
【発明の詳細な説明】
【技術分野】
【０００１】
本発明は、所定エリアにおいてユーザ端末を用いたユーザの操作によりカウントされたカウント数を含むカウント関連情報を管理するカウント関連情報管理サーバ、及びカウント関連情報管理プログラムに関する。
【背景技術】
【０００２】
従来、街頭で交通量調査などを行う場合には、調査員が調査用紙や携帯型のカウンタを用いて調査対象項目毎に数をカウントし、カウントした情報を所定の調査表に転記して集計する方法が一般的であった。
【０００３】
しかしながら、カウントした情報を紙に転記するという作業が煩雑であり、なおかつ調査時から集計完了まで時間がかかるという問題点があった。また、測定場所、測定時刻に関してもそれぞれの調査員がそれぞれに調べる必要があった。
【０００４】
このような問題を解消するために、携帯電話に内蔵されたプログラムを起動することで携帯電話をカウンタとして利用する交通データ測定システムや交通調査方法がある（特許文献１−２参照）。これにより、調査員は携帯電話が備えるＧＰＳ機能などによって測定場所と測定時刻を取得することが可能であった。
【先行技術文献】
【特許文献】
【０００５】
【特許文献１】特開２００７−０１８３１４号公報
【特許文献２】特開２００４−３０２８１６号公報
【発明の概要】
【発明が解決しようとする課題】
【０００６】
上述した従来の交通データ測定システムや交通調査方法では、単に緯度・経度情報が測定場所として特定されるに過ぎず、バス停留所や駅の名称などの測定場所として必要な情報については、依然として調査員が別途確認する必要があるという問題があった。
【０００７】
本発明は、上述した問題を解消し、交通量調査の結果として必要な情報を煩わしい作業を強いることなく簡単に収集し管理することができるようにすることを目的とする。
【課題を解決するための手段】
【０００８】
本発明のカウント関連情報管理サーバは、所定エリアにおいてユーザ端末を用いたユーザの操作によりカウントされたカウント数を含むカウント関連情報を管理するカウント関連情報管理サーバであって、各所定エリアの存在位置を示すエリア位置情報を記憶するエリア位置情報記憶手段と、所定エリアと、所定エリアにてカウントされた時刻を示すカウント時刻情報と、所定エリアにてカウントされたカウント数とが対応付けされた前記カウント関連情報を記憶するカウント関連情報記憶手段と、カウントしたことを示すカウント実行情報を受信するカウント実行情報受信手段と、前記カウント実行情報と前記エリア位置情報とに基づいて、カウント時に前記ユーザ端末が存在していた所定エリアと、カウント時における時刻を示す実行時刻情報と、前記ユーザ端末が存在していた所定エリアにてカウントされたカウント数とを特定する特定手段と、該特定手段により特定された所定エリア及びカウント数と、前記特定手段により特定された実行時刻情報であるカウント時刻情報とを含むカウント関連情報を前記カウント関連情報記憶手段に登録するカウント関連情報登録手段とを含むことを特徴とする。
【０００９】
上記の構成としたことで、交通量調査の結果として必要な情報を煩わしい作業を強いることなく簡単に収集し管理することができるようになる。
【００１０】
前記カウント実行情報受信手段は、前記ユーザ端末から前記カウント実行情報を受信する構成とされていてもよい。
【００１１】
前記カウント実行情報は、前記ユーザ端末の存在位置を示す端末位置情報を含み、前記特定手段は、前記端末位置情報と前記エリア位置情報とに基づいて、カウント時に前記ユーザ端末が存在していた所定エリアを特定する構成とされていてもよい。
【００１２】
また、前記カウント実行情報は、前記ユーザ端末における所定のカウント終了操作がなされた時刻を示す操作終了時刻情報を含み、前記特定手段は、前記操作終了時刻情報を前記実行時刻情報として特定する構成とされていてもよい。
【００１３】
前記ユーザ端末は、前記ユーザ端末における所定のカウント終了操作がなされたことに応じて、前記ユーザ端末におけるカウント操作がなされた回数を示すカウント操作数を含むカウント実行情報を生成し、前記特定手段は、前記カウント操作数を前記カウント数として特定する構成とされていてもよい。
【００１４】
前記所定エリアは、バス等の移動体の乗員が乗降する乗降地点周辺エリアであり、前記カウント数は、前記移動体を乗降した乗降者の数である構成とされていてもよい。
【００１５】
運行対象の移動体を一意に特定可能な移動体識別情報と、運行予定時刻とが対応付けされた運行予定時刻情報を記憶する運行予定時刻情報記憶手段を含み、前記ユーザは、前記移動体の運転者であり、前記カウント実行情報は、前記移動体識別情報を含み、前記カウント関連情報登録手段は、前記カウント実行情報に含まれる移動体識別情報を含むカウント関連情報を前記カウント関連情報記憶手段に登録する構成とされていてもよい。
【００１６】
運行対象の移動体を一意に特定可能な移動体識別情報と、運行予定時刻とが対応付けされた運行予定時刻情報を記憶する運行予定時刻情報記憶手段と、前記移動体識別情報と、前記ユーザ端末を一意に特定可能なユーザ端末識別情報とが対応付けされた移動体特定情報を記憶する移動体特定情報記憶手段とを含み、前記ユーザは、前記移動体の運転者であり、前記カウント実行情報は、前記ユーザ端末識別情報を含み、前記特定手段は、前記移動体特定情報を参照して、前記ユーザ端末識別情報に基づいて前記移動体識別情報をも特定し、前記カウント関連情報登録手段は、前記特定手段により特定された移動体識別情報を含むカウント関連情報を前記カウント関連情報記憶手段に登録する構成とされていてもよい。
【００１７】
前記カウント関連情報に基づいて、各運行対象の移動体それぞれについての乗降地点周辺エリアでのカウント数を含むカウント数一覧情報を生成するカウント数一覧情報生成手段と、前記カウント数一覧情報を出力するカウント数一覧情報出力手段とを含む構成とされてもよい。
【００１８】
また、本発明のカウント関連情報管理プログラムは、所定エリアにおいてユーザ端末を用いたユーザの操作によりカウントされたカウント数を含むカウント関連情報を管理する処理をカウント関連情報管理サーバに実行させるカウント関連情報管理プログラムであって、各所定エリアの存在位置を示すエリア位置情報を記憶するエリア位置情報記憶手段と、所定エリアと、所定エリアにてカウントされた時刻を示すカウント時刻情報と、所定エリアにてカウントされたカウント数とが対応付けされた前記カウント関連情報を記憶するカウント関連情報記憶手段とを備えた前記カウント関連情報管理サーバに、カウントしたことを示すカウント実行情報を受信するカウント実行情報受信処理と、前記カウント実行情報と前記エリア位置情報とに基づいて、カウント時に前記ユーザ端末が存在していた所定エリアと、カウント時における時刻を示す実行時刻情報と、前記ユーザ端末が存在していた所定エリアにてカウントされたカウント数とを特定する特定処理と、該特定処理により特定した所定エリア及びカウント数と、前記特定処理により特定した実行時刻情報であるカウント時刻情報とを含むカウント関連情報を前記カウント関連情報記憶手段に登録するカウント関連情報登録処理を実行させるためのものである。
【発明の効果】
【００１９】
本発明によれば、交通量調査の結果として必要な情報を煩わしい作業を強いることなく簡単に収集し管理することができるようになる。
【図面の簡単な説明】
【００２０】
【図１】カウント関連情報管理システムの構成例を示すブロック図である。
【図２】エリア位置情報の格納状態の例を示す説明図である。
【図３】カウント実行情報の格納状態の例を示す説明図である。
【図４】カウント関連情報の格納状態の例を示す説明図である。
【図５】カウント関連情報登録処理の概要を説明するための説明図である。
【図６】カウント関連情報登録処理の例を示すフローチャートである。
【図７】カウント実行時におけるユーザ端末の表示画面の例を説明するための説明図である。
【図８】所定エリア特定処理の例を説明するための説明図である。
【図９】カウント関連情報管理システムの他の構成例を示すブロック図である。
【図１０】運行予定時刻情報の格納状態の例を示す説明図である。
【図１１】移動体特定情報の格納状態の例を示す説明図である。
【図１２】カウント関連情報の格納状態の他の例を示す説明図である。
【図１３】所定エリア特定処理の他の例を説明するための説明図である。
【図１４】カウント関連情報登録処理の他の例を示すフローチャートである。
【図１５】カウント数一覧情報生成処理の例を示すフローチャートである。
【図１６】カウント数一覧情報画面の例を示す説明図である。
【図１７】カウント実行情報の格納状態のさらに他の例を示す説明図である。
【図１８】カウント実行情報登録処理の例を示す説明図である。
【図１９】カウント関連情報登録処理のさらに他の例を示す説明図である。
【図２０】カウント実行時におけるユーザ端末の表示画面の他の例を説明するための説明図である。
【図２１】カウント関連情報の格納状態のさらに他の例を示す説明図である。
【発明を実施するための形態】
【００２１】
以下、本発明の一実施の形態について図面を参照して説明する。
図１は、本発明の一実施形態に係るカウント関連情報管理システム１００Ａの構成例を示すブロック図である。
【００２２】
図１に示すように、カウント関連情報管理システム１００Ａは、カウント関連情報管理サーバ１０Ａと、ユーザ端末５０１〜５０Ｎ（Ｎは任意の正の整数）と、表示端末５０とを含む。ユーザ端末５０１〜５０Ｎは、基地局４０及び例えばインターネットなどの通信ネットワーク３０を介してカウント関連情報管理サーバ１０Ａに接続されている。表示端末５０は、通信ネットワーク３０を介してカウント関連情報管理サーバ１０Ａに接続されている。
【００２３】
なお、図１では、携帯端末と、カウント装置と、通信ケーブル以外の各構成要素が１つずつの場合を示しているが、カウント関連情報管理システム１００Ａは、例えば複数のカウント関連情報集計理サーバ１０Ａや基地局４０、複数の表示装置５０などを含んでいてもよい。
【００２４】
ユーザ端末５０１〜５０Ｎは、それぞれ、携帯端末２０１〜２０Ｎ（Ｎは任意の正の整数）と、カウント装置３０１〜３０Ｎ（Ｎは任意の正の整数）とを含む。携帯端末２０１〜２０Ｎとカウント装置３０１〜３０Ｎとは、それぞれ、無線あるいは有線（通信ケーブル４０１，４０２）によって接続される。なお、携帯端末２０１〜２０Ｎが備える入力装置によりカウント装置３０１〜３０Ｎが有する機能を果たす構成とし、ユーザ端末５０１〜５０Ｎが、カウント装置３０１〜３０Ｎを有しない構成とするようにしてもよい。
【００２５】
携帯端末２０１〜２０Ｎは、例えばカウント関連情報管理システム１００Ａを利用するユーザによって管理される端末装置であり、例えば携帯電話端末、ＰＤＡ、モバイルタイプのパーソナルコンピュータや専用デバイスなどの情報処理装置によって構成される。本例においては、携帯端末２０１〜２０Ｎは、基地局４０および通信ネットワーク３０を介してカウント関連情報管理サーバ１０Ａに接続され、ユーザからの要求に応じて後述するカウント実行情報をカウント関連情報管理サーバ１０Ａに送信する機能などの各種の機能を有する。
【００２６】
本例における携帯端末２０１〜２０Ｎは、それぞれ携帯端末２０１〜２０Ｎの現在位置（すなわち、ユーザの現在位置）を測位する機能を備えており、例えば、ＧＰＳ衛星から送られてくるＧＰＳ信号を受信し、このＧＰＳ信号に基づいて位置を測定するＧＰＳセンサを有する。
【００２７】
ＧＰＳセンサは、いわゆるＧＰＳ受信機と称されるものであり、ＧＰＳ衛星から放射されるＧＰＳ信号を受信してＧＰＳ衛星とＧＰＳ受信機自身との距離（疑似距離）を測定し、複数の衛星からのＧＰＳ信号を同時に受信することによりＧＰＳ受信機自身の現在位置（ＧＰＳ測位解）を示す携帯端末２０１〜２０Ｎの位置情報を算出する。
【００２８】
また、携帯端末２０１〜２０Ｎは、カウント関連情報管理システム１００Ａを利用するための専用アプリケーションが搭載されているものとする。この専用アプリケーションは、カウント数を表示する機能などの各種機能を実現するためのアプリケーションである。
【００２９】
本例では、携帯端末２０１〜２０Ｎは、ユーザの操作に応じて通信ネットワーク３０を介してカウント関連情報管理サーバ１０Ａが開設する専用アプリケーションのダウンロード用Ｗｅｂサイトにアクセスし、そのＷｅｂサイトからダウンロードした専用アプリケーションをインストールしているものとする。すなわち、カウント関連情報管理サーバ１０Ａは、専用アプリケーションのダウンロード用サイトを運用する機能を有しており、ユーザ端末２０１〜２０Ｎからの要求に応じて専用アプリケーションを提供する処理を行う。なお、このダウンロード用サイトにおいて、ユーザ登録などの他の処理を行うようにしてもよい。また、専用アプリケーションのダウンロードサイトは、カウント関連情報管理サーバ１０Ａに限らず、様々なアプリケーションのダウンロードが可能なサーバ装置など、他のＷＷＷサーバによって開設されてもよい。
【００３０】
本例におけるカウント装置３０１には、ユーザがカウント操作を行うための操作ボタンが設けられている。本例では、図１に示すように、４つの操作ボタンが設けられているものとする。
【００３１】
操作ボタンは、カウントする対象であるカウント対象をボタンごとに区別する構成とされてもよい。この場合、カウント対象の設定は、例えばユーザ端末２０１が搭載する関連情報管理システム１００Ａを利用するための専用アプリケーションを用いて、ボタンごとにカウント対象を設定する構成とされてもよい。すなわち、関連情報管理システム１００Ａを利用するための専用アプリケーションは、カウント対象を設定する機能を有する構成とされてもよい。
【００３２】
表示端末５０は、通信ネットワーク３０を介してカウント関連情報管理サーバ１０Ａと通信し、カウント関連情報管理サーバ１０Ａから取得した情報を、例えば所定のＷｅｂアプリケーション（Ｗｅｂブラウザ）などのソフトウェアの機能により表示部に出力する機能を有する。なお、所定のＷｅｂアプリケーションは、前述した関連情報管理システム１００Ａを利用するための専用アプリケーションが用いられてもよい。
【００３３】
カウント関連情報管理サーバ１０Ａは、例えばカウント関連情報管理システム１００Ａのシステム管理者によって管理されるサーバであり、例えばＷＷＷサーバなどの情報処理装置によって構成される。本例において、カウント関連情報管理サーバ１０Ａは、ユーザ端末５０１〜５０Ｎからの要求に応じてカウント関連情報を登録するための各種の処理などを実行する。また、カウント関連情報サーバ１０Ａは、例えば所定のＷｅｂアプリケーション（Ｗｅｂブラウザ）などのソフトウェアの機能によりカウント関連情報などを表示部に出力する機能を有する構成とされてもよい。
【００３４】
本例において、カウント関連情報管理サーバ１０Ａは、図１に示すように、エリア位置情報ＤＢ２１と、カウント実行情報ＤＢ２２と、カウント関連情報ＤＢ２３とを含む各種ＤＢを備える。これらの各種ＤＢは、カウント関連情報管理サーバの内部にあっても外部にあってもよい。
【００３５】
エリア位置情報ＤＢ２１は、各所定エリアの存在位置を示すエリア位置情報を記憶するための記憶媒体である。図２は、エリア位置情報の格納状態の例を示す説明図である。本例におけるエリア位置情報は、図２に示すように、エリア名称と、存在位置とが対応付けされた情報である。
【００３６】
エリア名称は、所定エリアの名称を示す。また、所定エリアは、エリア位置情報の管理者により設定されたエリアであり、バス停留所（以下、バス停と呼ぶ場合がある）周辺のエリアを示す。なお、所定エリアは、駅や市役所、交番などの公共施設を含む構成とされてもよい。
【００３７】
存在位置は、各所定エリアの存在位置を示し、任意の領域を示す緯度経度（緯度経度領域）で表される。
【００３８】
カウント実行情報ＤＢ２２は、ユーザ端末５０１〜５０Ｎがカウントしたことを示す情報を記憶するための記憶媒体である。図３は、カウント実行情報の格納状態の例を示す説明図である。本例におけるカウント実行情報は、図３に示すように、端末位置と、操作終了時刻と、カウント操作数とが対応付けされた情報である。
【００３９】
端末位置とは、ユーザ端末５０１〜５０Ｎが自己の備えるＧＰＳセンサ機能により取得した、ユーザ端末５０１〜５０Ｎの存在位置を示す。
【００４０】
操作終了時刻とは、ユーザ端末５０１〜５０Ｎにおける所定のカウント終了操作がなされた時刻を示す。なお、カウント実行情報ＤＢ２２には、操作終了時刻に代わって、ユーザ端末５０１〜５０Ｎにおける所定のカウント開始操作がなされた時刻を示す操作開始時刻や、カウント操作がなされた時刻を示す操作時刻などが格納される構成とされてもよい。
【００４１】
カウント操作数は、ユーザ端末５０１〜５０Ｎにおけるカウント操作がなされた回数を示す。本例において、カウント操作数は、ユーザ端末５０１〜５０Ｎに配置された操作ボタンごとのカウント操作数を含む。すなわち、図３に示すようにユーザ端末５０１〜５０Ｎの、Ａボタンには乗車人数・男性、Ｂボタンには乗車人数・女性、Ｃボタンには降車人数・男性、Ｄボタンには降車人数・女性、というカウント対象が設定されており、それぞれの操作ボタンにおいて操作がなされた回数がカウント操作数としてカウント実行情報ＤＢ２２に格納される。
【００４２】
カウント関連情報ＤＢ２３は、所定エリアと、所定エリアにてカウントされた時刻を示すカウント時刻情報と、所定エリアにてカウントされたカウント数とが対応付けされたカウント関連情報を記憶するための記憶媒体である。図４は、カウント関連情報の格納状態の例を示す説明図である。図４に示すように、本例におけるカウント関連情報は、エリア名称と、操作終了時刻と、カウント数と、カウント操作数とが対応づけされた情報である。
【００４３】
本例において、エリア名称は、後述するカウント関連情報登録処理にて特定された所定エリアを示す。また、操作終了時刻は、後述するカウント関連情報登録処理にて特定された所定エリアにてカウントされた時刻を示すカウント時刻を示す。さらに、カウント数と、カウント操作数とは、後述するカウント関連情報登録処理にて特定された所定エリアにてカウントされたカウント数を示す。
【００４４】
次に、本例におけるカウント関連情報管理システム１００Ａの動作について図面を参照して説明する。なお、本発明に特に関わらない処理については、その詳細な説明を省略している場合がある。
【００４５】
図５は、後述するカウント関連情報登録処理の概要を説明するための説明図である。図５には、カウント関連情報管理サーバ１０Ａと、路線バス６０と、バス停留所７０と、ユーザ端末５０１（携帯端末２０１と、携帯端末２０１に通信ケーブル４０１により接続されたカウント装置３０１）と、運転者６０１と、乗客６０２と、ユーザ（ユーザ端末５０１を操作するユーザ）７０１とが示されている。本例においては、図５に示すように、ユーザ７０１が、カウント装置３０１を用いたカウント操作を行うことにより、路線バス６０への乗降人数をカウントする場合を例にして説明を行う。
【００４６】
図６は、カウント関連情報管理システム１００Ａが実行するカウント関連情報登録処理の例を示すフローチャートである。カウント関連情報登録処理では、ユーザ端末５０１からカウント実行情報を受信したことに基づいて、カウント関連情報管理サーバ１０Ａ（以下、サーバ１０Ａと呼ぶ場合がある）がカウント関連情報ＤＢ２３にカウント関連情報を登録するための処理が実行される。
【００４７】
カウント関連情報登録処理は、例えばユーザ端末５０１に搭載されている専用アプリケーションが起動されたときに開始される。
【００４８】
カウント関連情報登録処理において、先ず、ユーザ端末５０１は、カウントの入力を受け付ける（ステップＳ１０１）。本例においては、カウント装置３０１にてカウントの入力を受け付け、カウントを受け付けたこと示すカウント信号を通信ケーブル４０１を介して携帯端末２０１に送信する。
【００４９】
次に、ユーザ端末５０１は、カウント操作が終了したか否かを判定する（ステップＳ１０２）。本例においては、携帯端末２０１が、後述する終了ボタン８２（図７参照）の押下操作（タッチパネルのタッチ操作）を受け付けたときに、カウント操作が終了したものと判定する。
【００５０】
図７は、カウント実行時の表示画面の例を説明するための説明図である。本例においては、図７に示すように、携帯端末２０１が備える表示装置にカウント数表示画面８１が表示される。カウント数表示画面８１には、カウント端末３０１が備える各ボタン（Ａボタン、Ｂボタン、Ｃボタン、Ｄボタン）にそれぞれ対応するカウント数表示領域８０１〜８０４と、終了ボタン８２とが設けられている。各カウント数表示領域８０１〜８０４に表示される数値は、カウント端末３０１の対応する各ボタンにてカウント操作された回数（カウント数）を示す。本例では、カウント端末３０１の各ボタンが押下される度に、対応する各カウント数表示領域８０１〜８０４に表示される数値が１ずつ増加されることになる。
【００５１】
図７において、カウント数表示領域８０１は、カウント端末３０１のＡボタンの操作によりカウントされた「乗車人数・男性」の数を表示する領域である。カウント数表示領域８０２は、カウント端末３０１のＢボタンの操作によりカウントされた「乗車人数・女性」の数を表示する領域である。カウント数表示領域８０３は、カウント端末３０１のＣボタンの操作によりカウントされた「降車人数・男性」の数を表示する領域である。カウント数表示領域８０４は、カウント端末３０１のＤボタンの操作によりカウントされた「降車人数・男性」の数を表示する領域である。また、終了ボタン８２は、カウントの終了を受け付けるためのボタンである。
【００５２】
なお、本例においては、カウント操作の受け付けを終了したか否かを終了ボタン８２の押下操作を受け付けたか否かにより判定する構成とされているが、前述した構成に限定されず、例えば、一定時間（例えば、５分など）カウント操作の受け付けがない場合に、カウント操作の受け付けを終了したと判定する構成とされてもよい。
【００５３】
カウント操作の受け付けを終了したと判定した場合には、ユーザ端末５０１は、端末位置の確認を行う（ステップＳ１０３）。本例においては、携帯端末２０１は、自己が備える測位機能により算出されている自己位置を示す位置情報（緯度経度情報）の確認を行う。本例では、例えば、自己位置を示す位置情報は、定期的に算出され更新されているものとする。なお、ステップＳ１０３にて、自己位置を示す位置情報を算出するようにしてもよい。
【００５４】
次に、ユーザ端末５０１は、操作終了時刻の確認を行う（ステップＳ１０４）。本例においては、カウント操作が終了したとき（ステップＳ１０２のＹ）の時刻が操作終了時刻であるものとする。従って、ステップＳ１０４では、終了ボタン８２の押下操作を受け付けたときの時刻を操作終了時刻として確認する。なお、操作終了時刻の替わりに、カウント操作の受け付け開始時刻（操作開始時刻）を確認することとしてもよい。
【００５５】
次に、ユーザ端末５０１は、カウント実行情報を生成する（ステップＳ１０５）。本例においては、携帯端末２０１により、カウント数と、端末位置情報と、操作終了時刻情報とを含むカウント実行情報が生成される。
【００５６】
カウント実行情報を生成すると、ユーザ端末５０１は、生成したカウント実行情報をサーバ１０Ａに送信する（ステップＳ１０６）。
【００５７】
サーバ１０Ａは、ユーザ端末５０１からカウント実行情報を受信すると（ステップＳ２０１）、受信したカウント実行情報に含まれる端末位置情報に基づいて所定エリアを特定する（ステップＳ２０２）。本例においては、サーバ１０Ａは、エリア位置情報ＤＢ２１を参照して、受信したカウント実行情報に含まれる位置情報が示す位置に最も近い所定エリアを特定する。
【００５８】
以下、受信したカウント実行情報に含まれる位置情報が示す位置に最も近い所定エリアを特定する処理（所定エリア特定処理）について図面を用いて説明する。
【００５９】
図８は、所定エリアを特定する処理の例を説明するための説明図である。図８には、ａ行き（Ｌ００１−０１）の路線と、ｂ行きの路線（Ｌ００２−０２）が示されている。各路線には、バス停９０〜９４が存在し、バス停周辺の領域が所定エリア９００〜９０４として設定されている。所定エリア９００〜９０４において、カウンタ７０１〜７０５は、路線バス６０の到着時に乗客の乗降人数をカウントする。
【００６０】
図８において、ユーザ端末２０１を使用するカウンタ７０１は、位置（Ｘ１，Ｙ１）に位置している。また、サーバ１０Ａは、ステップＳ１０７においてカウント実行情報（端末位置情報）として位置（Ｘ１，Ｙ１）を受信したものとする。
【００６１】
サーバ１０Ａは、エリア位置情報ＤＢ２１を参照して、受信したカウント実行情報に含まれる端末位置情報が示す位置に最も近い所定エリアであるバス停１（バス停９０）を所定エリアとして特定する。なお、本例においては、受信したカウント実行情報に含まれる端末位置情報が示す位置は、エリア位置情報ＤＢ２１が示すエリア位置に含まれているが、エリア位置情報ＤＢ２１が示すエリア位置に含まれていない場合であても、受信したカウント実行情報に含まれる位置情報が示す位置に最も近い所定エリアを特定するようにすればよい。
【００６２】
エリア位置情報に基づいて所定エリアを特定すると、サーバ１０Ａは、カウント時刻情報を特定する（ステップＳ２０３）。本例においては、サーバ１０Ａは、受信したカウント実行情報に含まれる操作終了時刻情報をカウント時刻情報として特定する。なお、カウント時刻情報は、前述した操作開始時刻などであってもよい。
【００６３】
カウント時刻情報を受信すると、サーバ１０Ａは、カウント数を特定する（ステップＳ２０４）。本例においては、サーバ１０Ａは、ユーザ端末５０１から受信したカウント実行情報に含まれるカウント操作数の所定の合計数をカウント数として特定する。なお、本例において、カウント操作数の所定の合計数は、乗車人数合計と、降車人数合計とを示すが、例えば、男女別合計や大人子供別合計などの構成とされてもよい。
【００６４】
カウント数を特定すると、サーバ１０Ａは、受信したカウント実行情報に基づいて特定した各種情報（ステップＳ２０２にて特定した所定エリアと、ステップＳ２０３にて特定したカウント時刻と、ステップＳ２０４にて特定したカウント数）を、カウント関連情報ＤＢ２４に登録し、ここでの処理を終了する。本例において、サーバ１０Ａは、受信したカウント実行情報に基づいて特定した各種情報を対応付けて、カウント関連情報ＤＢ２４に格納する。なお、受信したカウント実行情報に基づいて特定した各種情報は、例えば図４に示したようにカウント関連情報ＤＢ２４に格納される。
【００６５】
ここで、カウント関連情報管理システムの他の構成例について説明する。図９は、カウント関連情報管理システムの他の構成例を示すブロック図である。図９に示すように、カウント関連情報管理システム１００Ｂは、上述したカウント関連情報管理システム１００Ａ（図１参照）とは、運行予定時刻情報ＤＢ２４と、移動体特定情報ＤＢ２５を含む点が異なる。なお、図９において、図１などで説明した部分と同様の部分には同一符号を付して説明する。
【００６６】
運行予定時刻情報ＤＢ２４は、運行予定時刻を示す運行予定時刻情報を記憶するための記憶媒体である。
【００６７】
図１０は、運行予定時刻情報ＤＢ２４の格納状態の例を示す説明図である。図１０に示すように、本例における運行予定時刻情報は、路線名と、路線ＩＤと、エリア名称の一例であるバス停名と、各バス停をそれぞれ出発する時刻である出発時刻とが対応付けされた情報である。ここでは、所定エリアはバス停であり、運行予定時刻情報は路線バスに関するものとして説明する。
【００６８】
本例において、路線ＩＤは、運行対象の移動体である路線バスがどの路線をどの時間に運行するのであるかを一意に特定可能な情報である。本例では、路線ＩＤ「L001-01」は、路線名「ａ行き（L001）」の始発路線を示しており、その後、順に「L001-02」，「L001-03」，…,最終路線「L001-15」までの路線が示されている。また、図示はしていないが、運行予定時刻情報ＤＢ２４には、平日の運行予定時刻情報と、土日の運行予定時刻情報とがそれぞれ格納される構成とされてもよい。
【００６９】
図１１は、移動体特定情報の格納状態の構成例を示す説明図である。移動体特定情報ＤＢ２５は、路線ＩＤと、端末ＩＤとが対応付けされた移動体特定情報を記憶するための記憶媒体である。
【００７０】
端末ＩＤは、ユーザ端末５０１〜５０Ｎを一意に特定可能なユーザ端末識別情報の例である。なお、端末ＩＤは、携帯端末２０１〜２０Ｎ又はカウント装置３０１〜３０Ｎに付与された番号であってもよい。
【００７１】
図１２は、カウント関連情報の格納状態の他の構成例を示す説明図である。図１２に示すように、カウント関連情報の格納状態は、上述したカウント関連情報の格納状態（図４参照）とは、端末ＩＤと、路線ＩＤを含む点が異なる。
【００７２】
次に、本例におけるカウント関連情報管理システム１００Ｂの動作について図面を参照して説明する。なお、本発明に特に関わらない処理については、その詳細な説明を省略している場合がある。
【００７３】
図１３は、所定エリアを特定する処理の例を説明するための説明図である。図１３には、ａ行き（Ｌ００１−０１）の路線と、ｂ行きの路線（Ｌ００２−０２）が示されている。各路線には、バス停９０〜９４が存在し、バス停周辺の領域が所定エリア９００〜９０４として設定されている。本例では、路線バス６０がバス停９０〜９４に停車したときに路線バス６０の運転席が所定エリア９００〜９０４内に位置するように所定エリア９００〜９０４が設定されているものとし、路線バス６０の運転手６０１（図５参照）がバス停９０〜９４での乗客の乗降人数をカウントする場合を例に説明する。
【００７４】
図１４は、カウント関連情報管理システム１００Ｂが実行するカウント関連情報登録処理の例を示すフローチャートである。カウント関連情報登録処理では、ユーザ端末５０１からカウント実行情報を受信したことに基づいて、カウント関連情報管理サーバ１０Ｂ（以下、サーバ１０Ｂと呼ぶ場合がある）がカウント関連情報ＤＢ２３にカウント関連情報を登録するための処理が実行される。なお、上述したカウント関連情報管理システム１００Ａが実行するカウント関連情報登録処理（図６参照）と同様の処理を行うステップについては、同じステップ番号を付して詳細な説明は省略する。
【００７５】
カウント関連情報登録処理は、例えばユーザ端末５０１に搭載されている専用アプリケーションが起動されたときに開始される。本例では、路線ＩＤ「L001-01」の路線を運行するものとし、この路線ＩＤ「L001-01」に対応付けされている端末ＩＤ「Ｕ０００１」のユーザ端末（ユーザ端末５０１であるものとする）を携帯して運転手６０１が路線バス６０に乗車するものとする。
【００７６】
ユーザ端末５０１は、ステップＳ１０１〜ステップＳ１０４の処理を実行したあと、カウント実行情報を生成し（ステップＳ１０５）、生成したカウント実行情報をサーバ１０Ｂに送信する（ステップＳ１０６）。本例においては、ステップＳ１０５にて、携帯端末２０１により、カウント数と、端末位置情報と、操作終了時刻情報と、端末ＩＤとを含むカウント実行情報が生成される。
【００７７】
サーバ１０Ｂは、ユーザ端末５０１からカウント実行情報を受信すると（ステップＳ２０１）、ステップＳ２０２〜ステップＳ２０４の処理を実行する。
【００７８】
次に、サーバ１０Ｂは、移動体特定情報ＤＢ２５を参照して、カウント実行情報に含まれていた端末ＩＤに対応付けされている路線ＩＤを特定する（ステップＳ４０１）。路線ＩＤを特定することにより、運行予定時刻情報ＤＢ２４を参照することで、運行している路線を特定することが可能となる。
【００７９】
次いで、サーバ１０Ｂは、受信したカウント実行情報に基づいて特定した各種情報（例えば、ステップＳ２０１にて受信したカウント実行情報に含まれていた端末ＩＤと、ステップＳ２０２にて特定した所定エリアと、ステップＳ２０３にて特定したカウント時刻と、ステップＳ２０４にて特定したカウント数と、ステップＳ４０１にて特定した路線ＩＤとを含む情報）を、カウント関連情報としてカウント関連情報ＤＢ２３に登録し、ここでの処理を終了する。
【００８０】
なお、受信したカウント実行情報に基づいて特定した各種情報は、例えば図１２に示すように、カウント数などが各バス停に対応付けされて登録される。この場合、カウント実行情報を受信した順番に、停車予定順番の各バス停を割り当てるようにすればよい。乗降数が０であった場合には、例えば、カウント数が０である旨のカウント実行情報をサーバ１０Ｂに送信するようにすればよい。
【００８１】
図１５は、カウント関連情報管理サーバ１０Ａまたはカウント関連情報管理サーバ１０Ｂ（以下、サーバ１０Ａ，１０Ｂと呼ぶ場合がある）が実行するカウント数一覧情報生成処理の例を示すフローチャートである。カウント数一覧情報生成処理では、サーバ１０Ａ，１０Ｂが、カウント関連情報ＤＢ２３を参照してカウント数一覧情報を出力する処理が実行される。
【００８２】
カウント数一覧情報生成処理は、例えば、ユーザＸの操作による表示端末５０からのカウント数一覧情報提供要求に応じて開始される。カウント数一覧情報提供要求には、抽出条件が含まれているものとする。抽出条件には、例えば、路線ＩＤ、抽出対象期間、エリア名称などが考えられる。
【００８３】
カウント数一覧情報生成処理において、先ず、サーバ１０Ａ，１０Ｂは、表示端末５０からのカウント数一覧情報提供要求に基づき抽出条件を特定する（ステップＳ５０１）。ここでは、抽出条件として、カウント数一覧情報提供要求に含まれる路線ＩＤから路線L001と路線L002とが特定され、カウント数一覧情報提供要求に含まれる抽出期間として「2014/01/10」が特定されたものとする。なお、抽出期間は、日単位であっても時間単位であってもよい。
【００８４】
抽出条件を特定すると、サーバ１０Ａ，１０Ｂは、カウント関連情報ＤＢ２３を参照して、特定した抽出条件に合致する期間及び路線についてのカウント関連情報を抽出し、カウント数一覧情報を生成する（ステップＳ５０２）。
【００８５】
カウント数一覧情報を生成すると、サーバ１０Ａ，１０Ｂは、生成したカウント数一覧情報を出力して（ステップＳ５０３）、ここでの処理を終了する。本例においては、ステップＳ５０３にて、サーバ１０Ａ，１０Ｂは、生成したカウント数一覧情報を表示端末５０に対して送信する。表示端末５０は、受信したカウント数一覧情報を示すカウント数一覧画面を自己が備える表示装置に表示する。なお、サーバ１０Ａ，１０Ｂは、オペレータからのカウント数一覧情報提供要求に基づいてカウント数一覧情報を生成し、自己が備える表示装置にカウント数一覧画面を表示したり、自己が備える印刷装置によりカウント数一覧情報を印刷出力したりするようにしてもよい。
【００８６】
図１６は、カウント数一覧情報画面の例を示す説明図である。図１６に示すように、カウント数一覧情報画面１６００には、カウント数一覧情報を表示する表示領域１６０１が設けられている。表示領域１６０１には、抽出条件として指定された路線及び期間と、路線名（図１６においては路線ＩＤ）と、バス停名と、運行予定時刻と、運行時刻と、遅れ時間と、カウント合計数と、カウント数詳細とがそれぞれ表示される領域が設けられている。
【００８７】
ここで、「運行時刻」は、本例では操作終了時刻が該当する。また、「遅れ時間」は、運行予定時刻と運行時刻との差を示すものであり、例えばステップＳ５０２にて算出される。
【００８８】
図１７は、カウント実行情報の格納状態さらに他の例を示す説明図である。本例におけるカウント実行情報は、図１７に示すように、カウント操作された操作ボタン（操作ボタンの種類）と、端末位置と、カウント時刻とが対応付けられた情報である。また、本例では、カウント実行情報は、カウント装置３０１〜３０Ｎにおいてカウント操作がなされる度にユーザ端末５０１〜５０Ｎにて生成され、ユーザ端末５０１〜５０Ｎが備えるメモリなどの記憶媒体に蓄積されていくものとする。
【００８９】
図１７に示す操作ボタンは、ユーザ端末５０１〜５０Ｎにおけるカウント操作がなされた操作ボタンを意味する。本例においては、図１７に示すように、例えばカウント装置３０１のＡボタンが押下された場合には、カウント実行情報の該当項目には、操作ボタン「Ａ」が格納される。
【００９０】
図１７に示す端末位置は、ユーザ端末５０１〜５０Ｎが自己の備えるＧＰＳセンサ機能により取得した、ユーザ端末５０１〜５０Ｎの存在位置を示す。
【００９１】
図１７に示すカウント時刻は、ユーザ端末５０１〜５０Ｎにおけるカウント操作がなされた時刻を示す。
【００９２】
図１８は、ユーザ端末５０１〜５０Ｎが実行するカウント実行情報登録処理の例を示すフローチャートである。カウント実行情報登録処理では、カウント装置３０１からカウント信号を受信したことに基づいて、携帯端末２０１が自己が備えるメモリなどの記憶媒体にカウント実行情報を登録するための処理が実行される。
【００９３】
カウント実行情報登録処理は、例えばユーザ端末５０１に搭載されている専用アプリケーションが起動されたときに開始される。
【００９４】
カウント実行情報登録処理において、先ず、ユーザ端末５０１は、カウントの入力を受け付けたか否かを判定する（ステップＳ５０１）。本例においては、携帯端末２０１が、カウント装置３０１にてカウントの入力を受け付けたカウント信号を通信ケーブル４０１を介して受信したか否かを判定する。
【００９５】
カウント操作を受け付けていないと判定した場合には（ステップＳ５０１のＮ）、ユーザ端末５０１は、カウント操作の受け付けがなされるまで待機する。
【００９６】
カウント操作を受け付けたと判定した場合には（ステップＳ５０１のＹ）、ユーザ端末５０１は、端末位置の確認を行う（ステップＳ５０２）。本例においては、携帯端末２０１は、自己が備える測位機能により算出されている自己位置を示す位置情報（緯度経度情報）の確認を行う。本例では、例えば、自己位置を示す位置情報は、カウント操作を受け付ける度に（ステップＳ５０１のＹ）算出される。
【００９７】
次に、ユーザ端末５０１は、操作時刻の確認を行う（ステップＳ５０３）。本例においては、カウント操作を受け付けたとき（ステップＳ５０１のＹ）の時刻が操作時刻であるものとする。従って、ユーザ端末５０１は、ステップＳ５０３にてカウント操作を受け付ける度にカウント操作を受け付けた時刻を操作時刻として確認する。
【００９８】
次に、ユーザ端末５０１は、カウント実行情報を生成する（ステップＳ５０４）。本例においては、携帯端末２０１により、操作ボタンと、端末位置と、カウント時刻とを含むカウント実行情報が生成される。
【００９９】
カウント実行情報を生成すると、ユーザ端末５０１は、生成したカウント実行情報を携帯端末２０１が備えるメモリなどの記憶媒体に登録する（ステップＳ５０５）。
【０１００】
図１９は、カウント関連情報管理システム１００Ｂが実行するカウント関連情報登録処理のさらに他の例を示すフローチャートである。カウント関連情報登録処理では、ユーザ端末５０１からカウント実行情報を受信したことに基づいて、カウント関連情報管理サーバ１０Ｂ（以下、サーバ１０Ｂと呼ぶ場合がある）がカウント関連情報ＤＢ２３にカウント関連情報を登録するための処理が実行される。なお、上述したカウント関連情報管理システム１００Ａおよびカウント関連情報システム１００Ｂが実行するカウント関連情報登録処理（図６および図１４参照）と同様の処理を行うステップについては、同じステップ番号を付して詳細な説明は省略する。
【０１０１】
カウント関連情報登録処理は、例えば、サーバ１０Ｂがユーザ端末５０１からアクセスを受け付けたときに開始される。
【０１０２】
カウント関連情報登録処理において、先ず、サーバ１０Ｂは、有線ケーブルを介してユーザ端末５０１からカウント実行情報を受信する（ステップＳ６０１）。本例においては、携携帯端末２０１がＵＳＢケーブルなどの有線ケーブルを介してサーバ１０Ｂに接続され、サーバ１０Ｂは、このＵＳＢケーブルを介して携帯端末２０１からカウント実行情報を受信する。なお、カウント実行情報を受信する場合には、携帯端末２０１とサーバ１０Ｂとは、Ｗｉ−Ｆｉ（Wireless  Fidelity）などの無線ＬＡＮや、Ｂｌｕｅｔｏｏｔｈ（登録商標）などの無線によって接続されてもよい。また、携携帯端末２０１に搭載されているＵＳＢメモリなどの着脱可能な記憶媒体を用いて、カウント実行情報をサーバ１０Ｂに移動又はコピーするようにしてもよい。
【０１０３】
また、携帯端末２０１とサーバ１０Ｂとでカウント実行情報に関して同期を取るようにしてもよい。この場合、携帯端末２０１とサーバ１０Ｂとの間でカウント実行情報を送受信する際に同期処理が行われるようにすればよい。
【０１０４】
次に、ステップＳ２０２にて所定エリアを特定すると、サーバ１０Ｂは、カウント時刻情報を特定する（ステップＳ２０３）。本例においては、サーバ１０Ｂは、受信したカウント実行情報に含まれる操作時刻情報のうち、カウント操作が終了した時刻であるカウント操作終了時刻をカウント時刻情報として特定する。この場合、例えば、カウント実行情報に含まれる端末位置が示す所定エリアが同一エリアであるカウント時刻のうち最も遅い時刻をカウント操作終了時刻として特定するようにすればよい。
【０１０５】
次に、サーバ１０Ｂは、カウント数を特定する（ステップＳ６０３）。本例においては、サーバ１０Ｂは、ユーザ端末５０１から受信したカウント実行情報に含まれる操作ボタンに基づき所定エリア毎のカウント合計数を算出し、算出した合計数をカウント数として特定する。すなわち、端末位置が示す所定エリアが同一エリアである各操作ボタンのカウント回数に応じて、その所定エリアについてのカウント数（乗車人数、降車人数）を算出する。
【０１０６】
図２０は、カウント実行時における携帯端末２０１の表示画面の他の例を説明するための説明図である。なお、図７と同様の構成については、同じ番号を付して詳細な説明は省略する。
【０１０７】
図２０に示す各ボタン（Ａボタン、Ｂボタン、Ｃボタン、Ｄボタン）はそれぞれ、Ａボタンが乗車人数を１加算するボタン、Ｂボタンが乗車人数を１減算するボタン、Ｃボタンが降車人数を１加算するボタン、Ｄボタンが降車人数を１減算するボタンを示す。また、カウント数表示領域１８０１には、乗車人数として、Ａボタンがカウント操作された回数からＢボタンがカウント操作された回数が減算された数値が表示される。また、カウント数表示領域１８０４には、降車人数として、Ｃボタンがカウント操作された回数からＤボタンがカウント操作された回数が減算された数値が表示される。本例では、カウント端末３０１の各ボタンが押下される度に、対応する各カウント数表示領域１８０１と１８０２とに表示される数値が１ずつ増減されることになる。なお、本例においては、図７に示した操作終了ボタン８２は設けられていないが、各所定エリアでのカウント操作が終了したときに押下される終了ボタンが設けられていてもよい。本例では、例えば、各ボタンの操作が所定時間（例えば３０秒）なされなかったときにカウント操作が終了したとみなしてカウント数の表示がリセットされる。
【０１０８】
図２１は、カウント関連情報の格納状態のさらに他の例を示す説明図である。図２１に示すように、カウント関連情報の格納状態は、上述したカウント関連情報の格納状態（図１２参照）とは、カウント操作数を含まない点が異なる。また、本例においては、カウント数に格納される乗車人数は、ステップＳ２０３にて特定されたカウント数であり、図２０に示すＡボタンのカウント数からＢボタンのカウント数を減算した数である。カウント数に格納される降車人数は、ステップＳ２０３にて特定されたカウント数であり、図２０に示すＣボタンのカウント数からＤボタンのカウント数を減算した数である。
【０１０９】
以上に説明したように、上述した実施の形態では、カウント関連情報サーバ１０Ａ，１０Ｂが、各所定エリアの存在位置を示すエリア位置情報を記憶するエリア位置情報ＤＢ２１と、所定エリア９００〜９０４と、所定エリア９００〜９０４にてカウントされた時刻を示すカウント時刻情報と、所定エリア９００〜９０４にてカウントされたカウント数とが対応付けされたカウント関連情報を記憶するカウント関連情報ＤＢ２３とを備え、カウントしたことを示すカウント実行情報を受信し、カウント実行情報とエリア位置情報とに基づいて、カウント時にユーザ端末５０１〜５０Ｎが存在していた所定エリア９００〜９０４と、カウント時における時刻を示す実行時刻情報と、ユーザ端末５０１〜５０Ｎが存在していた所定エリア９００〜９０４にてカウントされたカウント数とを特定し、特定した所定エリア９００〜９０４及びカウント数と、特定した実行時刻情報であるカウント時刻情報とを含むカウント関連情報をカウント関連情報ＤＢ２３に登録する構成としているので、交通量調査の結果として必要な情報を煩わしい作業を強いることなく簡単に収集し管理することができるようになる。
【０１１０】
すなわち、カウント時にユーザ端末５０１〜５０Ｎが存在していた所定エリア９００〜９０４を特定し、特定した所定エリア９００〜９０４を含むカウント関連情報を登録する構成としているので、所定エリアについて別途確認する必要が無くなり、交通量調査の結果として必要な情報を簡単に収集し管理することができるようになる。したがって、交通量調査時の負担を大幅に軽減することが可能となる。また、ユーザ端末５０１〜５０Ｎが存在していた所定エリア９００〜９０４を自動的に特定するため、異なる所定エリアを誤って特定してしまうといったミスを無くすこともできる。
【０１１１】
また、上述した実施の形態において、カウント関連情報サーバ１０Ａ，１０Ｂが、ユーザ端末５０１〜５０Ｎからカウント実行情報を受信する構成とした場合には、ユーザ端末５０１〜５０Ｎから交通量調査の結果として必要な情報を自動的に受信できるようになるため、交通量調査時の作業負担をさらに軽減させることができるようになる。
【０１１２】
また、上述した実施の形態では、カウント実行情報は、ユーザ端末５０１〜５０Ｎの存在位置を示す端末位置情報を含み、カウント関連情報サーバ１０Ａ，１０Ｂが、端末位置情報とエリア位置情報とに基づいて、カウント時にユーザ端末５０１〜５０Ｎが存在していた所定エリアを特定する構成としたので、ユーザ端末５０１〜５０Ｎから送信される端末位置情報を利用して所定エリアを特定することができ、交通量調査の結果として必要な情報を煩わしい作業を強いることなく簡単に収集し管理することができるようになる。
【０１１３】
また、上述した実施の形態では、カウント実行情報が、ユーザ端末５０１〜５０Ｎにおける所定のカウント終了操作がなされた時刻を示す操作終了時刻情報を含み、カウント関連情報サーバ１０Ａ，１０Ｂが、操作終了時刻情報を実行時刻情報として特定する構成としたので、各カウント時それぞれの時刻を特定することなく、各所定エリアでの代表的かつ適切な１つの時刻を実行時刻情報として特定することができ、カウント実行情報の情報量を削減することができるようになる。
【０１１４】
また、上述した実施の形態では、ユーザ端末５０１〜５０Ｎが、ユーザ端末５０１〜５０Ｎにおける所定のカウント終了操作がなされたことに応じて、ユーザ端末５０１〜５０Ｎにおけるカウント操作がなされた回数を示すカウント操作数を含むカウント実行情報を生成し、カウント関連情報サーバ１０Ａ，１０Ｂが、カウント操作数をカウント数として特定する構成としたので、カウント毎にカウント実行情報を生成して送信する必要がなく、カウント終了操作後にカウント実行情報を１回だけ生成して送信すればよく、処理負荷を軽減することができるようになる。
【０１１５】
また、上述した実施の形態において、所定エリア９００〜９０４は、バス等の移動体の乗員が乗降する乗降地点周辺エリアであり、カウント数は、移動体を乗降した乗降者の数である構成とした場合には、バス等の移動体の乗員の乗降数を調査する交通量調査の結果として必要な情報を煩わしい作業を強いることなく簡単に収集し管理することができるようになる。
【０１１６】
また、上述した実施の形態において、カウント関連情報管理サーバ１０Ｂが、運行対象の移動体を一意に特定可能な移動体識別情報（路線ＩＤ）と、運行予定時刻とが対応付けされた運行予定時刻情報を記憶する運行予定時刻情報ＤＢ２４と、移動体識別情報と、ユーザ端末５０１〜５０Ｎを一意に特定可能なユーザ端末識別情報とが対応付けされた移動体特定情報を記憶する移動体特定情報ＤＢ２５とを備え、ユーザは、移動体の運転者６０１であり、カウント実行情報は、ユーザ端末識別情報を含み、カウント関連情報管理サーバ１０Ｂが、移動体特定情報を参照して、ユーザ端末識別情報に基づいて移動体識別情報をも特定し、特定された移動体識別情報を含むカウント関連情報をカウント関連情報ＤＢ２３に登録する構成とした場合には、移動体の運転者が携帯するユーザ端末５０１〜５０Ｎによりカウントを行うことができるようになり、交通量調査の結果として必要な情報を移動体の運転者による簡単な作業により収集し管理することができるようになる。
【０１１７】
上述した実施の形態では、移動体の運転者６０１がユーザ端末５０１〜５０Ｎを操作する場合に、ユーザ端末識別情報を含むカウント実行情報をカウント関連情報管理サーバ１０Ｂに送信するようにしていたが、ユーザ端末５０１〜５０Ｎに運行対象の路線を示す路線ＩＤを登録することとし、路線ＩＤを含むカウント実行情報をカウント関連情報管理サーバ１０Ｂに送信する構成としてもよい。すなわち、カウント関連情報管理サーバ１０Ｂが、運行対象の移動体を一意に特定可能な移動体識別情報と、運行予定時刻とが対応付けされた運行予定時刻情報を記憶する運行予定時刻情報ＤＢ２４を備え、ユーザが、移動体の運転者６０１であり、カウント実行情報は、移動体識別情報（路線ＩＤ）を含み、カウント関連情報管理サーバ１０Ｂが、カウント実行情報に含まれる移動体識別情報を含むカウント関連情報をカウント関連情報ＤＢ２３に登録する構成としてもよい。このような構成とした場合には、カウント関連情報管理サーバ１０Ｂに移動体特定情報ＤＢ２５を備えることなく、移動体の運転者が携帯するユーザ端末５０１〜５０Ｎによりカウントを行うことができるようになり、交通量調査の結果として必要な情報を移動体の運転者による簡単な作業により収集し管理することができるようになる。
【０１１８】
また、上述した実施の形態では、カウント関連情報管理サーバ１０Ａ，１０Ｂが、カウント関連情報に基づいて、各運行対象の移動体それぞれについての乗降地点周辺エリアでのカウント数を含むカウント数一覧情報を生成し、カウント数一覧情報を出力する構成としたので、交通量調査の結果を容易に閲覧することができるようになる。
【０１１９】
なお、上述した実施の形態では特に言及していないが、カウント関連情報管理サーバ１０Ａ，１０Ｂやユーザ端末５０１〜５０Ｎは、自己が備える記憶装置に記憶されている各種制御プログラム（例えば、カウント関連情報管理プログラム）に従って、上述した各種の処理（図６、図１４、図１５参照）を実行する。
【産業上の利用可能性】
【０１２０】
本発明は、交通量調査の結果として必要な情報を煩わしい作業を強いることなく簡単に収集し管理することができるようにするのに有用である。
【符号の説明】
【０１２１】
１０Ａ，１０Ｂ          カウント関連情報管理サーバ
２１                    エリア位置情報ＤＢ
２２                    カウント実行情報ＤＢ
２３                    カウント関連情報ＤＢ
２４                    運行予定時刻情報ＤＢ
２５                    移動体特定情報
３０                    通信ネットワーク
４０                    基地局
５０                    表示装置
１００Ａ，１００Ｂ      カウント関連情報管理システム
２０１〜２０Ｎ          携帯端末
３０１〜３０Ｎ          カウント装置
４０１，４０２          通信ケーブル
５０１〜５０Ｎ          ユーザ端末
【図１】
2015176376.tif 000003
【図２】
2015176376.tif 000004
【図３】
2015176376.tif 000005
【図４】
2015176376.tif 000006
【図５】
2015176376.tif 000007
【図６】
2015176376.tif 000008
【図７】
2015176376.tif 000009
【図８】
2015176376.tif 000010
【図９】
2015176376.tif 000011
【図１０】
2015176376.tif 000012
【図１１】
2015176376.tif 000013
【図１２】
2015176376.tif 000014
【図１３】
2015176376.tif 000015
【図１４】
2015176376.tif 000016
【図１５】
2015176376.tif 000017
【図１６】
2015176376.tif 000018
【図１７】
2015176376.tif 000019
【図１８】
2015176376.tif 000020
【図１９】
2015176376.tif 000021
【図２０】
2015176376.tif 000022
【図２１】
2015176376.tif 000023